(57)【特許請求の範囲】
【請求項１】
衛生上の用途及び／又は部屋の暖房に用いる流体を加熱する予混合ガス燃焼式ボイラであって、可変の調整率で作動する少なくとも１個のバーナ（１）と、前記バーナ（１）に流体を供給する供給手段（４）を備え、前記供給手段（４）がファン（５）に接続され、前記ファン（５）にガスを供給するガスダクト（７）が備えられ、ガスダクトにはオン／オフ弁部材（８）及びミキサ（６）が備わっており、バーナ（１）が、第１の主炎拡散部材（２５）と少なくとも１個の第２の補助炎拡散部材（２６）を備え、前記供給手段が主炎拡散部材（２５）とファン（５）に接続された１個の供給ダクト（４）であり、ファンは単一のファンであり、前記供給ダクト（４）には、空気又は空気とガスの混合気からなる前記流体が送られ、第２の補助的な炎拡散部材（２６）に接続された管状体（１７）が、前記供給ダクト（４）内に開口しており、ガス搬送パイプ（１０）が、前記管状体（１７）内に直接開口することにより、前記管状体にガスを直接供給するボイラにおいて、それらの炎拡散部材は、互いに隔てられた部材で、異なる発熱量を生じさせ、１次的な炎拡散部材（２５）は、炎を発生させる表面（２５Ａ）を有し、この表面は、対応する２次的な炎拡散部材（２６）の表面（２６Ａ）よりも大きな表面積を有しており、オン／オフ部材（３０）が、供給ダクト（４）を開閉可能に供給ダクト（４）内に備えられ、前記管状体（１７）と前記主炎拡散部材（２５）との間に配置され、前記オン／オフ部材（３０）は、前記炎拡散部材（２５、２６）の何れか一方のみ又は両方に炎を発生させることにより、バーナ（１）によって発生する発熱量を変更でき、前記主炎拡散部材（２５）及び前記補助炎拡散部材（２６）は、互いに独立して又は一緒に稼働させることができることを特徴とするボイラ。
【請求項２】
前記管状体（１７）が、前記供給ダクト（４）における空気又は空気／ガス混合気の流れの方向に関して、供給ダクト（４）内における主炎拡散部材（２５）の上流又は下流の何れかに、配置されていることを特徴とする請求項１に記載のボイラ。
【請求項３】
補助炎拡散部材（２６）の前記供給ダクト（４）への接続を遮断する、さらに別のオン／オフ部材が、管状体（１７）内に配置されていることを特徴とする請求項１に記載のボイラ。
【請求項４】
ガスパイプ（１０）が、ファン（５）に接続されたガスダクト（７）に接続され、前記ガスパイプ（１０）は、ガスダクトにおけるガスの流れの方向において、弁部材（８）の上流に配置され、前記ガスダクト（７）と前記管状体（１７）との間に弁部材（１１）を備え、少なくとも１個のリリーフ弁（９）が、ガスダクト（７）に配置され、前記主炎拡散部材（２５）及び前記補助炎拡散部材（２６）は、互いに独立して稼働させることができることを特徴とする請求項１に記載のボイラ。
【請求項５】
バーナが、ガスをファン（５）に送るガス弁（８）とリリーフ弁（９）の空気圧又は電子タイプの制御によって給気されることを特徴とする請求項１に記載のボイラ。
【請求項６】
ボイラにおける炎又は煙の存在を示す炎又は煙信号を検知する検知手段を備えていることを特徴とする請求項１に記載のボイラ。
【請求項７】
前記オン／オフ部材（３０）が、アクチュエータにより制御されるタイプのものであることを特徴とする請求項１に記載のボイラ。
【請求項８】
前記オン／オフ部材（３０）が、重力及び供給ダクト（４）内に存在する流体の圧力の影響下にある自然運動タイプのものであることを特徴とする請求項１に記載のボイラ。
【請求項９】
前記炎又は煙信号検知手段によって検知された炎又は煙信号に応じて前記オン／オフ弁部材（８）及びファン（５）を制御する制御ユニットを備えていることを特徴とする請求項１に記載のボイラ。
【請求項１０】
主炎拡散部材（２５）と、少なくとも１個の補助炎拡散部材（２６）とを有する、２個以上のバーナを備えていることを特徴とする請求項１に記載のバーナ。
【請求項１１】
バーナの各々の炎拡散部材（２５、２６）が、可変の調整率で作動するタイプのものであり、そのため、バーナ（１）が、１次炎拡散部材が炎を有していない時でさえも、可変の調整率を常に有することを可能にしていることを特徴とする請求項１に記載のボイラ。
【発明の詳細な説明】
【技術分野】
【０００１】
本発明は、独立請求項の公知要件事項部に記載のガス燃焼式ボイラに関する。
【０００２】
具体的には、本発明は、可変で高い調整率（個々の構成部材の存在と寸法によることは明らかである）で作動するバーナを備えたボイラに関し、前記ボイラは、衛生上の利用及び／又は部屋の暖房のための流体（例えば、水）を加熱するのに適している。
【背景技術】
【０００３】
上記のタイプの可変の調整率を有するバーナを備えたガス燃焼式ボイラが、予混合流体供給タイプの（すなわち、空気とガスが調節又は調整可能な割合で存在する混合気によって作動する）バーナを備えていることが公知である。こうしたバーナは、現在、二通りの異なる主な方式、すなわち空気圧方式及び電子方式によって作動する構成部材とともに用いられている。これらの方式は何れも、バーナに送る予混合流体の空気とガスの比率を最適化することにより、均一で（特に、汚染ガスの排出に関連する）現行の規則又は基準に適合した燃焼を維持することができる。
【０００４】
しかしながら、公知のボイラのこれらの実施の形態には何れも、バーナに供給する空気／ガス混合気の流量の調整を、特に、バーナによって発生される弱い火力に対応する最小限の流量値に関して行うことにおいて難題がある。
【０００５】
一般に、炎調整バーナを備えた公知のボイラは、炎を生じさせる拡散部材を有する（例えば、平坦な又は円筒形の形状を有する）１個以上のバーナを備えている。バーナは、燃焼室に配置され、（空気とガスを）予混合した流体が、ファンに接続された供給ダクトを通じてバーナに送られる。ファンは、ファン自体の１分当りの回転数に応じた圧力を有する空気流量をもたらす。（ファンによって運ばれる空気が存在する）供給ダクトには、（ガス）制御弁を介して供給ダクトに接続されたガスパイプからのガスも存在する。
【０００６】
そのため、先行技術においては、衛生用の水を温める及び／又は部屋を暖房するボイラが公知であり、前記公知のボイラは、複数のバーナを有し、各々のバーナは、ファンが接続された（又は接続されていない）対応する供給ダクトから給気される。
【０００７】
こうした解決手段では、空気圧式ダクトに基づく、すなわち空気圧式ガス制御弁の使用に基づく解決手段、及び「電子の」概念に基づく解決手段（これらの解決手段においては、ガス制御弁は、例えば、所定の基準信号と比較してバーナに関して検知された炎信号を考慮に入れたアルゴリズムに基づいて作動する制御ユニットによって制御されるアクチュエータによって駆動される）を含む解決手段にも上記の難題がある。
【０００８】
特に、空気圧式弁を通じて給気されるバーナには、ガス制御弁の適正な作動をもたらす最小限の空気圧を得ることの難しさ、及び空気とガスの適正で望ましい混合を確保するのに適した安定した作動を可能にするファンの減少させた１分当りの回転数に起因する炎調節の短所がある。こうした短所は、特殊な構成部材（例えば、２重ベンチュリミキサ又は少ない１分当りの回転で作動することのできるファン）を用いることにより克服することができる。
【０００９】
ガス弁が電子的に制御される（しかし、空気圧で制御される弁にも当てはまる）、それらのボイラでは、調整操作における短所は、低下させた回転速度でのファンの不安定な作動、及びファンが前記の低下させた回転速度で作動している時に、（汚染物質の放出の面から見て）適正な空気／ガス混合気を得ることの難しさと関連している。また、（電子的に制御される弁のみに関して）、ガス弁を制御するのに用いる炎信号が、バーナが放射によって熱を発する（「放射バーナ」相と称する）ほど炎がバーナの表面近くにあると、ガス弁を制御するのに用いる炎信号が、不安定で検知するのが困難になることも起こり得る。この場合には、こうした炎信号を、電離電流に作用するセンサによって得ても、検知した炎信号は、（バーナの異なる作動ダイアグラムに縛られた）基準信号ともはや比較することができず、前記検知された炎信号は、空気／ガス混合気のタイプ（ガスが多いか少ないか）を評価することができず、そのため、ガス弁は、もはや適正に制御することができない。
【００１０】
日本国特許出願公開第２００６−２５８３０４号は、炎を発生させる軸線を同じくする複数の帯域（燃焼帯域）を備えたガスコンロ用のガス燃焼式バーナを開示している。このバーナの火力は、１個以上の前記軸線を同じくする燃焼帯域を稼働させることにより変化する。
【００１１】
この先行技術文献は、ファンに接続された１次ダクトの存在を開示しており、ガスが、ガス供給ダクトが接続された均圧弁に接続された側部流路を通じてファンとバーナとの間に吹き込まれる。
【００１２】
この１次ダクトは、互いに軸線を同じくするパイプにより中央燃焼帯域及び中央燃焼帯域と軸線を同じくする外側燃焼帯域に接続されており、ガスを、対応する弁が配置された側部流路を通じて前記軸線を同じくするパイプに供給することができる。
【００１３】
この先行技術文献は、ガスコンロのガス燃焼式バーナによって発生させることのできる火力よりもはるかに強い火力を有するボイラ分野のガス燃焼式バーナに適用された発明を
開示していない。さらに、この先行技術においては、全ての燃焼帯域が、一体になっている。
【００１４】
この公知の解決手段では、メインの弁を閉じることにより、互いに軸線を同じくするパイプ及び中央のパイプへのガス供給を停止することができ、したがって、（同様にメインの弁に接続された主ガス供給ダクトに接続された）側部ダクトの弁を開くことにより、１個以上のパイプ又は主ダクトにガスを供給することができる。
【００１５】
この公知の解決手段は、既に述べたように、可変の高い調整率で作動するタイプのボイラ用のガス燃焼式バーナを開示しておらず、互いに隔てられた炎拡散部材であって、前記炎拡散部材に給気する１個の空気／ガス混合気供給ダクト内に配置された弁部材によって可能になった独立したガスの供給により独立して稼働させることのできる炎拡散部材を有するボイラ用バーナも開示していない。
【００１６】
国際公開第２００６／０１９２７９号は、空気をファンから、ガスを少なくとも１個の対応するガスダクトから受けるバーナ本体を備えた予混合ガス燃焼式バーナを開示している。このバーナ本体は、上側燃焼面に複数の炎用の穴を有する複数の炎拡散ユニットが配置された広くなった部分を備えている。このバーナの最大出力は、バーナに取り付けた炎拡散ユニットの数によって決定される。
【００１７】
バーナ本体は、側方だけでなく、前方向及び後ろ方向の両方に徐々に広がって、燃焼面に向かって曲がった箇所のない空気流の通路を垂直方向に構成している。
【００１８】
整流板が、バーナ本体内に配置されてガスと燃焼用空気を均一に混ぜる。仕切板も配置されて空気と予混合されたガスを均等に分散させる。整流板には、複数の穴が設けられている。
【００１９】
この公知の解決手段では、バーナにより発生する火力は、炎拡散ユニットの数によって決定され、仕切板の数は、これらの炎拡散ユニットの数の関数である。
【００２０】
使用中、対応するパイプによって供給されたガスは、全ての炎拡散ユニットに向かってバーナ本体内に広がり、整流板を通過する。
【００２１】
したがって、この先行技術文献は、バーナにより発生する火力を変更する他の方法を何等開示しているのではなく、特定数の炎拡散ユニットを備えること又は炎拡散ユニットのうちの１個において穴の閉鎖部分を設けることに関する方法を開示している。さらに、この先行技術によるバーナは、炎拡散ユニットが存在する完全燃焼面に向かう空気／ガス混合気の流れを止める可能性（又は必要性）なしに、空気／ガス混合気を持続的に供給される炎拡散ユニットを有するバーナである。
【００２２】
さらに、上記先行技術文献は、空気／ガス混合気供給ダクト内の可動な弁部材を何ら開示していない。バーナ本体の全ての部分に常に空気とガスの流れが当たることで設けられた炎拡散ユニットに炎を発生させることを可能にしているので、弁部材は不要で使用することができない。
【００２３】
この先行技術は、炎拡散ユニットの炎穴の数が、バーナが発生する発熱量の関数として演繹的に選択されるので、全ての炎拡散ユニットは、炎をもたらすのに適していると述べているので、バーナ本体内にガスと空気の動きを抑制し又は方向付けする弁部材を備える必要がない。
【発明の概要】
【発明が解決しようとする課題】
【００２４】
本発明の目的は、衛生用の水を温める及び／又は家屋の部屋を暖房する、高い調整率を有する予混合ボイラ、すなわち、公知の解決手段の短所及び欠点を克服する衛生用の水を温める及び／又は家屋の部屋を暖房する、高い調整率を有する予混合ボイラ或いは連続的に又は不連続的に可変の高い調整率で作動するバーナを有するガス燃焼式ボイラを提供することである。
【００２５】
本発明の他の目的は、１個のファン及び１個のガスリリーフ弁を維持しながら、高い調整率を特徴とするバーナを有する上記のタイプの予混合ボイラを提供することである。
【００２６】
本発明の別の目的は、非常に少ない流量に関してバーナの炎を安定させることのできる上記のタイプのボイラを提供することである。
【００２７】
加えて、本発明のさらに別の目的は、公知の予混合ボイラにつきものの燃焼室で生じる熱音響問題が大幅に減少した上記のタイプのボイラを提供することである。
【００２８】
本発明の他の目的は、バーナの点火がより容易になり、燃焼室における爆発現象が防止されるボイラを提供することである。
【課題を解決するための手段】
【００２９】
これらの目的及び当業者には明らかになるであろう他の目的は、添付の特許請求の範囲に記載のボイラによって達成される。
【００３０】
本発明がより良く理解されるよう、限定をしない単なる説明上の便宜として、以下の図面を添付する。
【図面の簡単な説明】
【００３１】
【図１】本発明によるボイラの一例であって、概略的に示す、バーナとバーナ自体に連結された構成部材を備えたボイラの概略底面図を示している。
【図２】図１の線２−２に沿う断面図を示している。
【図３】バーナに取り付けられた図１のボイラの一部分の分解図を示している。
【図４】図３の線４−４に沿う断面図を示している。
【図５】バーナに取り付けられた本発明によるボイラの上記部分の変更構成の長手方向断面図を示している。
【発明を実施するための形態】
【００３２】
上記図１〜図４を参照すると、可変の調整率を特徴とするバーナを有するボイラの一例が、支持部材２（「バーナのドア」）に取り付けられたバーナ１を備え、支持部材には、流体をバーナに供給するのに適した（１次）供給ダクト４が、公知の方法で（例えば、ねじによって機械的に又は溶接により）固定されている。こうした流体は、空気又は空気とガスの混合気でよい。供給ダクトは４、必要に応じ、蓋４Ｂによって閉じられる中空の本体４Ａを備えている。
【００３３】
このため、供給ダクトは、ファン５の出口５Ａに接続されており、ファンの入口５Ｂは、ここで述べている非限定の実施の形態では、ミキサ６に接続されている。しかしながら、こうしたミキサは、上記の出口５Ａの下流に配置されることもある。空気圧制御又は電気制御タイプの主ガス弁８が、リリーフ弁（ｓｅｃｕｒｉｔｙ  ｖａｌｖｅ）９も配置されたガスダクト７に接続されている。
【００３４】
説明の便宜上提示された非限定の図１〜図４に示す実施の形態では、ガスダクト７が、主ガス弁８の手前（ガスダクト７におけるガス流の方向に関して）に配置された流通管すなわちパイプ１０を備え、流通管すなわちパイプには、弁１１が配置されている。このパイプ１０の先端は、一端１４（ここには、任意の公知の態様で固定されたノズル１５が、配置されている）になっている。パイプ１０（すなわち、２次供給パイプ）の一端１４は、管状体１７の第１の開口すなわち第１の端１６に配置され、管状体は、バーナ１の支持部材２の開口１９に固定された第２の端すなわち第２の開口１８を有している。当業者にとっては周知のように、本明細書において後に説明するように、他の解決手段もあり得ることはもちろんのことである。同様に、（１次）供給ダクト４は、開口しており前記支持部材２の開口２３に対応して位置する一端２２を有している。
【００３５】
バーナ１は、物理的に隔てられた２個の炎拡散部材２５及び２６を備えており、第１の炎拡散部材２５は１次炎拡散部材であり、第２の炎拡散部材２６は、補助的すなわち２次炎拡散部材である。これらの炎拡散部材２５及び２６は、互いに離れて配置され、任意の公知の方法、例えば、ねじ込み、溶接などによって支持部材２に固定され、同時に稼働させることができ（すなわち、それらの対応するスリット面２５Ａ及び２６Ａに沿って拡散された炎を有することができ）、（図１〜図４に示すように）２次炎拡散部材２６のみを稼働させてもよい。しかしながら、後に説明するように、１次炎拡散部材２５だけを稼働させる、２次炎拡散部材２６だけを稼働させる又は両方の炎拡散部材を稼働させることのできる解決手段もあり得る。
【００３６】
炎拡散部材２５及び２６は、それらが炎を発生させる異なるスリット面２５Ａ及び２６Ａを有しているので、異なる火力を発生させるのに適している。
【００３７】
図１〜図４に示す実施の形態に関して、上記の稼働は、供給ダクト４内に配置され、管状体１７と１次炎拡散部材２５との間にある逆止め弁（ｃｌａｐｅｔ  ｖａｌｖｅ）３０の存在によって可能になる。こうした逆止め弁又はオン／オフ部材又は絞り部材は、それが配置された供給ダクトの断面を全面的に閉じる（したがって、１次炎拡散部材２５に向かう空気／ガス混合気の流れを全面的に止める）のに適しているだけでなく、１次炎拡散部材２５に向かって通過中の空気／ガス混合気の流れを絞るのにも適している。
【００３８】
オン／オフ若しくは絞り部材又は逆止め弁３０は、重力又はファン５から来る流体によって加えられる圧力によって動かしてもよく、対応するアクチュエータ（図示せず）によって制御される従属弁でもよい。
【００３９】
後者の場合には、アクチュエータは、ファン５並びにガス弁８、９及び１１の作動も制御するボイラの制御ユニット（図示せず）による制御下にある。
【００４０】
本発明の実施の変更形態においては、管状体１７は、供給ダクト４内の、第１の炎拡散部材の下流（ファン５のみから来る空気／ガス混合気又は空気の流れの方向に関して）に配置され、逆止め弁３０は、管状体の第１の開口１６と前記１次炎拡散部材との間に配置されている。この変更形態において、パイプ１０が管状体１７内に開口している場合には、１次炎拡散部材２５に、又は２次炎拡散部材２６に、又は両方の炎拡散部材に、発生した炎を有することが可能である。炎が炎拡散部材２５のみに発生する場合には、逆止め弁３０は、この炎拡散部材の下流の供給ダクト４を閉じる状態にあり、したがって、ファン５から来る空気／ガス混合気は、炎拡散部材２５のみに入り、そのスリット面２５Ａで炎を発生させる状態にある。
【００４１】
逆止め弁又はオン／オフ部材３０が開いていると、ファン５によって供給ダクト４に吹き込まれた空気／ガス混合気は、両方の炎拡散部材２５及び２６に到達することができ、このようにして、それらの炎拡散部材の両方のスリット面２５Ａ及び２６Ａで炎を発生させることができる。こうした解決手段においては、ガス弁１１は、閉じる。
【００４２】
ガス弁８が閉じ、ガス弁１１が開いており、オン／オフ部材３０が開いた状態に維持されると、補助炎拡散部材２６のみに炎を発生させることができ、補助炎拡散部材は、ガスをパイプ１０から、空気（だけ）を供給ダクト４から受け取る。この空気は、１次炎拡散部材２５にも入るが、（ガスがないので）この１次炎拡散部材には炎を発生させない。
【００４３】
これら全てが、炎拡散部材２５及び２６に関して異なる発熱量を発生させることを可能にしている。
【００４４】
図１〜図４に示す解決手段についても、上記で説明した状況と同様の状況が、別の弁又はオン／オフ部材（図１〜図４には示さず）を、管状体１７内に配置しても、得られる。この場合には、オン／オフ部材３０を開き、ガス弁８を開き、ガス弁１１を閉じ、管状体１７内に配置されたオン／オフ部材を閉じることにより、供給ダクト４内に存在する空気／ガス混合気を１次炎拡散部材２５のみに供給し、１次炎拡散部材にのみ炎を発生させることができる。
【００４５】
添付の特許請求の範囲に記載の本発明の範囲に含まれない、さらに別の実施の変更形態によれば、オン／オフ部材３０は、図１〜図４に示す実施の形態と、１次炎拡散部材２５の下流（供給ダクトにおいて、ファン５からの空気又は空気／ガス混合気の流れの方向に関して）に配置された管状体１７を有する実施の形態の両方において、供給ダクト４内になくてもよい。この場合には、空気／ガス混合気が、ファン５から供給ダクト４に吹き込まれると、両方の炎拡散部材２５及び２６を「稼働」させることができる（すなわち、それらの炎拡散部材に炎を発生させることができる）。空気のみが、この供給ダクトに吹き込まれると（すなわち、ガス弁８が閉じられ）同時にガス弁１１のみが開かれると、２次ダクトのみを稼働させることができる。
【００４６】
したがって、本発明は、必要に応じてバーナを大幅な割合で調整できるようにしながら、バーナ構造の十分な融通性をもたらす。
【００４７】
本発明によれば、異なる発熱量を発生させるのに適した、互いに隔てられ、ただ１個の供給ダクト４から給気される２個（以上）の炎拡散部材２５及び２６を備えたバーナ１に関して最適な調整率を得ることができ、供給ダクトにおいて、両方の炎拡散部材２５及び２６が稼働している時に、空気／ガス混合気を流すことができ、又はガス弁８が閉じ、ガス弁１１が開いており、ファン５が多少なりとも稼働している時に、空気のみを流すことができる。後者の場合には、図面を参照すると、炎拡散部材２６だけに炎があることになる。本明細書において説明した実施の変更形態によっても、１次炎拡散部材２５のみ、補助炎拡散部材２６のみ又は両方の炎拡散部材を稼働させることができる。
【００４８】
図１〜図４に示すようなバーナ１及びミキサ６を備えた空気圧調整ボイラが、用いられるとする。この場合には、バーナは公称流量で作動し、逆止め弁又はオン／オフ部材３０及びガス弁８は開いてるのに対し、ガス弁１１は必要に応じて閉じている。こうすると、空気／ガス混合気を両方の炎拡散部材に送り、両方の炎拡散部材が炎を発生させることになる。明らかに、これらの炎拡散部材は、適切に技術設計されことにより、所望の調整を得る。
【００４９】
ファン５の１分当りの回転数を（当然ながら、ファンは、既に稼働している）、ボイラから来る熱需要に応じて減らすと、バーナ１及びバーナと連携する弁を備えたシステムは、それに合わせて対応するので、上述の弁構成は、変わらないままである。ファン５の１分当りの回転数が所定の値に達すると、ガス弁１１は開かれ（ただし、このガス弁が既に開いてはいない場合であり、既に開いている場合には、このガス弁はこの開状態に保たれる）、ガス弁８は閉じられ、バーナ１において炎が途絶えないようになっているが、（供給ダクト４及び管状体１７から空気を受け、パイプ１０からガスを受ける）炎拡散部材２６のみに炎が生じる。これにより、望ましくない汚染物質のおびただしい放出を防止する。
【００５０】
ファンのこうした１分当りの回転数を持つ場合、補助（２次）炎拡散部材２６と、パイプ１０を通じて供給されるガスとを操作することにより決定される最適な燃焼を伴う最小限の所望のガス流量が得られる。炎拡散部材２６に入る空気は、ファン５、及び適切な位置決めされ又は全面的に閉じたオン／オフ部材３０によって生じた流量を有する。この逆止め弁３０が部分的に閉じていると、ガス弁８が閉じているので、空気のみが１次炎拡散部材２５に達する。
【００５１】
本発明によれば、通常のボイラに既にある構成部材を用いて、１次炎拡散部材２５のスリット面２５Ａよりも小さくて炎が発生するスリット面２６Ａを有する補助すなわち２次炎拡散部材２６、パイプ１０、管状体１７及び少なくとも１個のオン／オフ部材３０を追加しさえすれば、所望の調整に達したバーナ１により、最適な燃焼が得られる。
【００５２】
１次すなわち主炎拡散部材２５の点火を、２次炎拡散部材２６を用いて、（ガス弁１１を閉じる前にガス弁８を開くことにより）バーナ１が配置されたボイラの燃焼室において爆発現象を引き起こすことのない最小限の空気／ガス混合気を１次炎拡散部材２５にも供給することにより行うことができる（逆も同様である）ことに注目すべきである。
【００５３】
ガス弁８及び１１の各々が、バーナの作動範囲全体にわたって常に存在する主炎拡散部材２５又は２次炎拡散部材２６からの炎信号のピックアップによって電子的に制御されると、同様の操作を行うことができる。これには、ボイラ内にあるボイラの制御ユニット（例えば、炎又は煙検知手段に接続されている）によるガス弁８及び１１の適切な駆動が必要であり、これらのガス弁の適切な駆動は、（１次炎拡散部材２５及び／又は２次炎拡散部材が稼働される）必要なバーナの調整に応じたこれらのガス弁の適切なオフ及び／又はオンをもたらす。
【００５４】
本発明によるボイラは、前記制御ユニットがボイラの適正な作動をモニタできるようにするのに適した他のセンサ及び／又は検知手段、例えば先行技術において公知のＣＯ、Ｏ２及び温度センサなどを、備えていてもよいことが明らかである。
【００５５】
本発明の簡素化された実施の形態においては、パイプ１０が備わっておらず、２次炎拡散部材２６だけの稼働は、オン／オフ部材３０を閉じ、（空気とガスを予混合する）ファン５から来る空気／ガス混合気の流量を最小限にすることによってのみ行われる。この場合には、「電子制御」を用いる解決手段では、炎拡散部材２６の炎は、例えば、燃焼を認識し制御するのに十分な公知の炎信号検知手段によって制御される。この解決手段は実施可能ではあるが、この解決手段には、ファンの使用及びこの解決手段において生じ得る不安定性という短所がある。
【００５６】
図５においては、既に説明した部材に対応する部材は、同じ参照符号によって示している。図５には、平坦な構造を有するバーナ１が示されており、このバーナにおいても、十分に隔てられた別個の２個の炎拡散部材２５及び２６が、この平坦なバーナの隣接する領域に形成されている。この平坦なバーナは、一体品のバーナでよく、それらの炎拡散部材は、バーナの炎の発生の観点から巧みに構成された一体品の部分である。そのほか、この平坦なバーナは、炎拡散部材２５及び２６を構成する隣接して並んだ２個の部材によって構成されていてもよい。
【００５７】
図５の場合にも、既に説明した事項と同様に、補助炎拡散部材２６のみに送られる空気／ガス混合気又は両方の炎拡散部材に送られる空気／ガス混合気が得られる。
【００５８】
したがって、互いに異なる（任意の方法で互いに隔てられた）２個の炎拡散部材を有する平坦なバーナの用法は、図１〜図４に示すバーナに関して説明した用法と同様であり、これ以上の説明はしない。
【００５９】
幾つかの本発明の実施の形態を説明してきたが、上記の説明に照らして、（パイプ１０及びガス弁８が配置されるガスダクトに取り付けられたリリーフ弁を備えた実施の形態のように）他の実施の形態も可能であり、そのため、それらの実施の形態は、以下の特許請求の範囲によって定義される本発明の範囲内にある。
【図１】
0006748703.tif 000002
【図２】
0006748703.tif 000003
【図３】
0006748703.tif 000004
【図４】
0006748703.tif 000005
【図５】
0006748703.tif 000006